(57)【要約】【課題】より簡便な構造でフラットケーブルとガラス板との接触を低減するスキャナ装置と画像読取装置とを提供する。【解決手段】スキャナ装置１では、ガラス板３とベース部材５との間に、湾曲部を含むフラットケーブル７によって所定の回路基板部と接続されたセンサ４が走査可能に収容されている。ベース部材５には、走査方向に延在してフラットケーブル７を受入れる溝部９と、走査方向と直交する方向に突出してフラットケーブル７の湾曲部をその湾曲部の内側から係止する係止部８とが形成されている。また、溝部９は、位置Ａの側の深さが位置Ｂの側の深さよりも深くなるように形成されている。【選択図】図１
2008017201.tif 000002
【特許請求の範囲】
【請求項１】
所定の位置に載置される原稿を読み取るためのスキャナ装置であって、
原稿が載置されるガラス板と、
前記ガラス板の下方において、第１の位置と前記第１の位置と所定の距離を隔てられた第２の位置との間を走査可能に配設され、前記ガラス板に載置された原稿を読み取るセンサと、
前記センサの下方に配設され、前記ガラス板とで前記センサを走査可能に収容する空間を形成するベース部材と、
前記ベース部材の下方に配設され、前記センサで読み取られた情報を処理する回路基板部と、
前記センサの走査を許容して前記センサと前記回路基板部とを電気的に接続するフラットケーブルと
を有し、
前記フラットケーブルは、前記ガラス板と前記ベース部材との間において湾曲し、前記センサの走査に追随して、前記センサが前記第１の位置に位置している状態では前記センサから最も接近したところに位置し、前記センサが前記第２の位置に位置している状態では前記センサから最も離れたところに位置する湾曲部を備え、
前記ベース部材は、
前記走査方向と直交する方向に突出するように形成され、前記センサが前記第１の位置から前記第２の位置に向って走査する際に、前記センサとともに前記第２の位置に接近する前記湾曲部を前記湾曲部の内側から係止する係止部と、
前記走査方向に延在して前記湾曲部を受入れ、前記第１の位置の側の深さが前記第２の位置の側の深さよりも深くなるように形成された溝部と
を備えた、スキャナ装置。
【請求項２】
所定の位置に載置される原稿を読み取るための画像読取装置であって、
原稿が載置される原稿載置板と、
前記原稿載置板の下方において、第１の位置と前記第１の位置と所定の距離を隔てられた第２の位置との間を走査可能に配設され、前記原稿載置板に載置された原稿を読み取るセンサと、
前記センサの下方に配設され、前記原稿載置板とで前記センサを走査可能に収容する空間を形成するベース部材と、
前記センサの走査を許容して前記センサと所定の回路基板部とを電気的に接続するフラットケーブルと
を有し、
前記フラットケーブルは、前記ガラス板と前記ベース部材との間において湾曲し、前記センサの走査に追随して、前記センサが前記第１の位置に位置している状態では前記センサから最も接近したところに位置し、前記センサが前記第２の位置に位置している状態では前記センサから最も離れたところに位置する湾曲部を備え、
前記ベース部材は、前記センサが前記第１の位置から前記第２の位置に向かって走査する際に、前記センサとともに前記第２の位置に接近する前記湾曲部を前記湾曲部の内側から係止する係止部を備えた、画像読取装置。
【請求項３】
前記ベース部材は、前記走査方向に延在して前記湾曲部を受入れ、前記第１の位置の側の深さが前記第２の位置の側の深さよりも深くなるように形成された溝部を備えた、請求項２記載の画像読取装置。
【請求項４】
前記係止部は、前記溝部における前記走査方向に延在して互いに対向する１対の側壁の一方の側壁から他方の側壁に向って形成された、請求項３記載の画像読取装置。
【請求項５】
前記係止部の先端部と前記他方の側壁との間に隙間が設けられた、請求項４記載の画像読取装置。
【発明の詳細な説明】
【技術分野】
【０００１】
本発明はスキャナ装置および画像読取装置に関し、特に、フラットケーブルを備えたスキャナ装置と画像読取装置とに関するものである。
【背景技術】
【０００２】
画像を読取るための装置の一つとして、ガラス板上に載置された原稿を、ガラス板の下に配置させたセンサを走査させながら読取るスキャナ装置がある。そのようなスキャナ装置として、フラットケーブルを採用したスキャナ装置について説明する。
【０００３】
図９に示すように、従来のスキャナ装置１０１では、原稿が載置されるガラス板１０３の下方にセンサ１０４を収容するためのセンサ収容領域１２０が設けられている。センサ１０４は、センサ収容領域１２０において読み取り可能範囲内を矢印１３０に沿って走査しながらガラス板１０３上に載置された原稿（図示せず）を読取ることになる。そのセンサ１０４には、センサ１０４の走査に追随するフラットケーブル１０７が接続されている。センサ１０４によって読取られた原稿の信号は、そのフラットケーブル１０７を介して画像処理を行う所定の回路基板部（図示せず）へ送られる。
【０００４】
ところが、フラットケーブル１０７には、センサ収容領域１２０において湾曲する湾曲部１０７ａが設けられている。図１０に示すように、その湾曲部１０７ａは、センサ収容領域１２０内を走査するセンサ１０４の位置によってはガラス板１０３に接触することがある。湾曲部１０７ａがガラス板１０３に接触した状態でセンサ１０４の走査が行われると、フラットケーブル１０７とガラス板１０３との摩擦力によって、フラットケーブル１０７がガラス板１０３とセンサ１０４との間に巻き込まれることがある。また、フラットケーブル１０７によってガラス板１０３の下面が汚れてしまったり、あるいは、傷つけられてしまうという問題がある。
【０００５】
このような問題点を解消するために、たとえば特許文献１では次のような手法が提案されている。図１１に示すように、このスキャナ装置１０１では、フラットケーブル１０７を伸ばすように相対的に移動可能なケーブル調整デバイス１１０が設けられている。
【特許文献１】特開２００６−５４８６３号公報
【発明の開示】
【発明が解決しようとする課題】
【０００６】
しかしながら、上述したスキャナ装置１０１では、フラットケーブル１０７がガラス板１０３に接触するのを防止するためのケーブル調整デバイス１１０は、その構造が複雑で部品点数も多く、組立ても煩雑であり、製造コストの削減を阻害する要因の一つとなっていた。
【０００７】
本発明は上記問題点を解決するためになされたものであり、一つの目的はより簡便な構造でフラットケーブルとガラス板との接触を低減するスキャナ装置を提供することであり、他の目的はそのような画像読取装置を提供することである。
【課題を解決するための手段】
【０００８】
本発明に係るスキャナ装置は、所定の位置に載置される原稿を読み取るためのスキャナ装置であって、ガラス板とセンサとベース部材と回路基板部とフラットケーブルとを有している。ガラス板には原稿が載置される。センサは、ガラス板の下方において、第１の位置とその第１の位置と所定の距離を隔てられた第２の位置との間を走査可能に配設され、ガラス板に載置された原稿を読み取る。ベース部材はセンサの下方に配設され、ガラス板とでセンサを走査可能に収容する空間を形成する。回路基板部はベース部材の下方に配設され、センサで読み取られた情報を処理する。フラットケーブルはセンサの走査を許容してセンサと回路基板部とを電気的に接続する。そのフラットケーブルは、ガラス板とベース部材との間において湾曲し、センサの走査に追随して、センサが第１の位置に位置している状態ではセンサから最も接近したところに位置し、センサが第２の位置に位置している状態ではセンサから最も離れたところに位置する湾曲部を備えている。そして、ベース部材は係止部と溝部とを備えている。係止部は走査方向と直交する方向に突出するように形成され、センサが第１の位置から第２の位置に向って走査する際に、センサとともに第２の位置に接近する湾曲部を湾曲部の内側から係止する。溝部は、走査方向に延在して湾曲部を受入れ、第１の位置の側の深さが第２の位置の側の深さよりも深くなるように形成されている。
【０００９】
この構成によれば、ベース部材に、センサが第１の位置から第２の位置に向って走査しながら接近する際に、そのセンサとともに第２の位置に接近するフラットケーブルの湾曲部をその湾曲部の内側から係止する係止部が形成されている。これにより、フラットケーブルがセンサと係止部との間において引っ張られた状態となって、湾曲部が大きく湾曲するのを阻止して、湾曲部がガラス板に接触するのを防止することができる。また、ベース部材に湾曲部を含むフラットケーブルを受入れる溝部として、第１の位置の側の深さが第２の位置の側の深さよりも深くなるように形成されている。これにより、センサが第１の位置と第２の位置との間に位置している状態では、フラットケーブルの湾曲部は、より深い溝部に位置して湾曲部がガラス板に接触するのを抑制することができる。
【００１０】
本発明に係る画像読取装置は、所定の位置に載置される原稿を読み取るための画像読取装置であって、原稿載置板とセンサとベース部材とフラットケーブルとを有している。原稿載置板には原稿が載置される。センサは原稿載置板の下方において、第１の位置とその第１の位置と所定の距離を隔てられた第２の位置との間を走査可能に配設され、原稿載置板に載置された原稿を読み取る。ベース部材はセンサの下方に配設され、原稿載置板とでセンサを走査可能に収容する空間を形成する。フラットケーブルはセンサの走査を許容してセンサと所定の回路基板部とを電気的に接続する。そのフラットケーブルは、ガラス板とベース部材との間において湾曲し、センサの走査に追随して、センサが第１の位置に位置している状態ではセンサから最も接近したところに位置し、センサが第２の位置に位置している状態ではセンサから最も離れたところに位置する湾曲部を備えている。ベース部材は、センサが第１の位置から第２の位置に向かって走査する際に、センサとともに第２の位置に接近する湾曲部を湾曲部の内側から係止する係止部を備えている。
【００１１】
この構成によれば、ベース部材に、センサが第１の位置から第２の位置に向って走査しながら接近する際に、そのセンサとともに第２の位置に接近するフラットケーブルの湾曲部をその湾曲部の内側から係止する係止部が形成されている。これにより、フラットケーブルがセンサと係止部との間において引っ張られた状態となって、湾曲部が大きく湾曲するのを阻止して、湾曲部が原稿載置板に接触するのを防止することができる。
【００１２】
また、ベース部材は、走査方向に延在して湾曲部を受入れ、第１の位置の側の深さが第２の位置の側の深さよりも深くなるように形成された溝部を備えていることが好ましい。
【００１３】
これにより、センサが第１の位置と第２の位置との間に位置している状態では、フラットケーブルの湾曲部は、より深い溝部に位置して湾曲部が原稿載置板に接触するのを抑制することができる。
【００１４】
係止部として、溝部における走査方向に延在して互いに対向する１対の側壁の一方の側壁から他方の側壁に向って形成されていることが好ましい。
【００１５】
この場合には、所定の金型により一体成型によってベース部材を得ることができる。
また、係止部の先端部と他方の側壁との間に隙間が設けられていることが好ましい。
【００１６】
この場合には、トラブルが発生した場合等のメンテナンス時において、フラットケーブルの取り外し作業をその隙間を介して容易に行うことができる。
【発明を実施するための最良の形態】
【００１７】
本発明の実施の形態に係るスキャナ装置について説明する。図１および図２に示すように、スキャナ装置１の筐体２の上部には、原稿が載置されるガラス板３が配設されている。そのガラス板３の下方には、ガラス板３の上面に載置された原稿をガラス板３の裏面側から所定の位置Ａと位置Ｂとの間を走査（矢印３０）しながら読み取るコンタクトイメージセンサ（以下、単に「センサ」と記す。）４が配設されている。そのセンサ４の下方にはベース部材５が配設されている。ベース部材５とガラス板３とでセンサ４を走査可能に収容するセンサ収容領域（空間）２０が形成される。そのベース部材５の下方には、センサ４で読み取られた原稿の信号を処理する回路基板部６が配設されている。
【００１８】
センサ４と回路基板部６とは可撓性のフラットケーブル７によって接続されている。そのフラットケーブル７には、センサ収容領域２０において湾曲し、センサ４の走査に追随する湾曲部７ａが設けられている。後述するように、その湾曲部７ａは、センサ４が位置Ａに位置している状態ではセンサ４から最も接近したところに位置し、センサ４が位置Ｂに位置している状態ではセンサ４から最も離れたところに位置する。
【００１９】
図３および図４に示すように、ベース部材５には、走査方向に延在して湾曲部７ａを含むフラットケーブル７を受入れる溝部９が形成されている。その溝部９における走査方向の所定の位置には、走査方向と直交する方向に突出してフラットケーブル７を係止する係止部８が形成されている。後述するように、係止部８は、センサ４が位置Ａから位置Ｂに向って走査する際に、センサ４とともに位置Ｂに接近するフラットケーブル７の湾曲部７ａをその湾曲部７ａの内側から係止することになる。その係止部８の直下のベース部材５の部分には、後述するように、成型時の金型との位置関係で開口部９ｃが形成されている。また、溝部９は、位置Ａの側の深さＤ１が位置Ｂの側の深さＤ２よりも深くなるように形成されている。
【００２０】
次に、上述したスキャナ装置１の動作について説明する。図１に示すように、スキャナ装置１では、センサ４は、原稿が載置される所定の領域内をその領域の一端側（位置Ａ）から他端側（位置Ｂ）、あるいは、位置Ｂから位置Ａに向って走査しながら、ガラス板３表面上に載置される原稿（図示せず）をガラス板３の裏面側から読み取る。読み取られた原稿の信号はフラットケーブル７を経て回路基板部６へ送られて、所定の情報の処理が行われる。
【００２１】
次に、位置Ａから位置Ｂに向ってセンサ４が走査するときのフラットケーブル７の動きについて説明する。まず、図５に示すように、センサ４が位置Ａに位置している状態では、フラットケーブル７の湾曲部７ａはセンサ４から最も接近したところ（距離Ｌ１）に位置する。紙面に向って右向きにセンサ４の走査が始まると、湾曲部７ａはセンサ４の走査に追随しながら徐々にセンサ４から離れ、たとえば図６に示すように、位置Ａと位置Ｂとの間の途中の位置Ｃでは、湾曲部７ａは位置Ｃから位置Ａの側に距離Ｌ２隔てられたところに位置する。
【００２２】
さらに、センサ４の走査が進むとセンサ４は位置Ｂに徐々に接近する。一方、湾曲部７ａもその走査に追随しながら徐々に係止部８に接近し、湾曲部７ａの内側が係止部８によって係止されることになる。そして、図７に示すように、センサ４が位置Ｂに到達すると、フラットケーブル７はセンサ４と係止部８との間で引っ張られた状態になる。また、センサ４が位置Ｂに到達すると、フラットケーブル７の湾曲部７ａはセンサ４から最も離れたところ（距離Ｌ３）に位置することになる。センサ４が位置Ｂから位置Ａへ向って走査する場合には、上述した動作が逆に行われることになる。こうして原稿の読み取り動作が行なわれる。
【００２３】
上述したスキャナ装置１では、ベース部材５に、センサ４が位置Ａから位置Ｂに向って走査しながら接近する際に、そのセンサ４とともに位置Ｂに接近するフラットケーブル７の湾曲部７ａをその湾曲部７ａの内側から係止する係止部８が形成されている。これにより、フラットケーブル７がセンサ４と係止部８との間において引っ張られた状態となって、湾曲部７ａが大きく湾曲するのを阻止して、湾曲部７ａがガラス板３に接触するのを防止することができる。
【００２４】
また、ベース部材５に湾曲部７ａを含むフラットケーブル７を受入れる溝部９が形成され、その溝部９は位置Ａの側の深さＤ１（溝部９ａ）が位置Ｂの側の深さＤ２（溝部９ｂ）よりも深くなるように形成されている。これにより、センサ４が位置Ａと位置Ｂとの間に位置している状態では、フラットケーブル７の湾曲部７ａは、より深い溝部９ａに位置して湾曲部７ａがガラス板３に接触するのを抑制することができる。
【００２５】
しかも、このような係止部８および溝部９を備えたベース部材５については、これを一体成型によって容易に形成することができる。たとえば、図８に示すように、ベース部材５の上面部分を成型する第１金型２５ａと下面部分を成型する第２金型２５ｂを用い、所定の樹脂を注入することによってベース部材５を一体成型することができる。図８および図３に示すように、ベース部材５には、一体成型後に第２金型２５ｂを抜くことによって開口部９ｃが残ることになる。
【００２６】
また、係止部８としては、溝部９における走査方向に延在して互いに対向する側壁の一方の側壁と他方の側壁との間を繋ぐように形成してもよいが、図３に示すように、一方の側壁１０ａから突出する係止部８の先端部分と他方の側壁１０ｂとの間に隙間１１を設けておくことで、トラブルが発生した場合等のメンテナンス時において、フラットケーブル７の取り外し作業を容易に行うこともできる。
【００２７】
なお、ここでは、スキャナ装置を例に挙げて説明したが、上述した構造は、湾曲したフラットケーブルを備えてセンサを走査しながら原稿等の画像を読み取る画像読取装置にも適用することが可能である。
【００２８】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２９】
【図１】本発明の実施の形態に係るスキャナ装置を示す斜視図である。
【図２】同実施の形態において、フラットケーブルおよびその周辺のベース部材の構造を示す部分拡大断面斜視図である。
【図３】同実施の形態において、ベース部材の溝部周辺の構造を示す部分拡大断面斜視図である。
【図４】同実施の形態において、図３に示す断面線ＩＶ−ＩＶにおける部分拡大断面図である。
【図５】同実施の形態において、スキャナ装置の動作を説明するための第１の状態を示す部分断面図である。
【図６】同実施の形態において、図５に示す第１の状態の後の第２の状態を示す部分断面図である。
【図７】同実施の形態において、図６に示す第２の状態の後の第３の状態を示す部分断面図である。
【図８】同実施の形態において、ベース部材の成型方法を示す部分拡大断面図である。
【図９】従来のスキャナ装置を示す断面図である。
【図１０】図９に示すスキャナ装置の部分拡大断面図である。
【図１１】従来の他のスキャナ装置を示す斜視図である。
【符号の説明】
【００３０】
１  スキャナ装置、２  筐体、３  ガラス板、４  センサ、５  ベース部材、６  回路基板部、７  フラットケーブル、７ａ  湾曲部、８  係止部、９，９ａ，９ｂ  溝部、９ｃ  開口部、１０ａ，１０ｂ  側壁、１１  隙間、２０  センサ収容領域、２５ａ  第１金型、２５ｂ  第２金型。
【図１】
2008017201.tif 000003
【図２】
2008017201.tif 000004
【図３】
2008017201.tif 000005
【図４】
2008017201.tif 000006
【図５】
2008017201.tif 000007
【図６】
2008017201.tif 000008
【図７】
2008017201.tif 000009
【図８】
2008017201.tif 000010
【図９】
2008017201.tif 000011
【図１０】
2008017201.tif 000012
【図１１】
2008017201.tif 000013